(57)【要約】【課題】排水ポンプ設備を稼働した場合に排水ポンプ運転の障害になる浮遊物を排水ポンプ設備で処理しなくて済む流入ゲートの運転制御方法及び排水ポンプ設備を提供する。【解決手段】排水ポンプ設備の流入水路４入口に設けた流入ゲート５の下端を水面よりも下げた状態で排水ポンプを運転することにより、浮遊物１３が流入水路４内に流入するのを防ぐようにする。浮遊物１３は、本川の水位が下がって自然流下ができるようになるまで支川２下流に貯留しておく。【選択図】図２
2007100311.tif 000002
【特許請求の範囲】
【請求項１】
川の水を排水する排水ポンプ設備の流入水路入口に設置される流入ゲートの運転制御方法において、
前記排水ポンプ設備運転時に開く流入ゲートの下端を水面よりも下げた状態に維持することによって、流入水路に浮遊物が流入しないようにしたことを特徴とする流入ゲートの運転制御方法。
【請求項２】
前記流入水路に設けた水位検出手段からの信号によって水位の変化を検出し、水位の変化に応じて流入ゲートをその下端が水面よりも規定水深下がった状態を維持するように運転することを特徴とする請求項１記載の流入ゲートの運転制御方法。
【請求項３】
川に接続した流入水路の入口に流入ゲートを設置するとともに、前記流入ゲートを開くことで流入水路に流れてくる川の水を排水する排水ポンプを設置してなる排水ポンプ設備において、
前記排水ポンプ設備運転時に開く流入ゲートの下端を水面よりも下げた状態に維持することで流入水路への浮遊物の流入を防止する制御手段を設けたことを特徴とする排水ポンプ設備。
【請求項４】
前記流入水路に流入した川の水の水位を検出する水位検出手段を設置したことを特徴とする請求項３に記載の排水ポンプ設備。
【発明の詳細な説明】
【技術分野】
【０００１】
本発明は、川の水を排水する排水ポンプ設備の流入水路入口に設置される流入ゲートの運転制御方法及び排水ポンプ設備に関するものである。
【背景技術】
【０００２】
従来、支川から本川に流れ込む河川の合流点などの排水門や排水樋門を設けている場所では、通常本川の水位よりも支川の水位が高いので、支川からの水は自然流下で本川に流れ込む。しかしながら大雨等の場合には支川の水位よりも本川の水位が高くなり、本川の水が支川に逆流するので、前記合流点に設けた排水門や排水樋門のゲートを閉め、排水ポンプ設備によって支川の水を強制的に本川に排水する。排水ポンプ設備の運転は、支川から流入水路に導いた水を排水ポンプによって本川に排水することによって行う。排水ポンプ設備を運転しないときは、流入水路入口に設置した流入ゲートを閉じておく。
【０００３】
ところで従来、前記排水ポンプ設備を運転する際は、流入ゲートを全開にして排水ポンプを運転していた。一方水の流れに伴って流入水路内に流入してくる浮遊物は、流入水路内に設置した除塵機で掻き揚げて除去していた。そして除塵機で掻き揚げて除去した浮遊物は、排水ポンプ機場に焼却設備を設けて焼却処理するか、焼却場に運搬して処理していた。
【０００４】
しかしながら河川が増水などしていない通常状態の場合は前記排水ポンプ設備は運転せず、支川の水は自然流下でそのまま本川に流れており、この場合は支川内を流下してくる浮遊物もそのまま本川に流れ出している。つまり前記排水ポンプ設備を運転するとき以外は、支川内を流下してくる浮遊物は掻き上げたり焼却したりせず、そのまま本川に流れていた。一方排水ポンプ設備稼働時のみに掻き上げられる浮遊物の処理に困っていた。
【発明の開示】
【発明が解決しようとする課題】
【０００５】
本発明は上述の点に鑑みてなされたものでありその目的は、排水ポンプ設備を稼働した場合にも排水ポンプ運転の障害になる浮遊物を排水ポンプ設備で処理しなくて済む流入ゲートの運転制御方法及び排水ポンプ設備を提供することにある。
【課題を解決するための手段】
【０００６】
本願請求項１に記載の発明は、川の水を排水する排水ポンプ設備の流入水路入口に設置される流入ゲートの運転制御方法において、前記排水ポンプ設備運転時に開く流入ゲートの下端を水面よりも下げた状態に維持することによって、流入水路に浮遊物が流入しないようにしたことを特徴とする流入ゲートの運転制御方法にある。そして例えばこの排水ポンプ設備の流入水路が本川に流入する支川に接続されているような場合、この浮遊物は、本川の水位が下がって支川の自然流下ができるようになるまで支川下流に貯留しておく。
【０００７】
本願請求項２に記載の発明は、前記流入水路に設けた水位検出手段からの信号によって水位の変化を検出し、水位の変化に応じて流入ゲートをその下端が水面よりも規定水深下がった状態を維持するように運転することを特徴とする請求項１記載の流入ゲートの運転制御方法にある。
【０００８】
本願請求項３に記載の発明は、川に接続した流入水路の入口に流入ゲートを設置するとともに、前記流入ゲートを開くことで流入水路に流れてくる川の水を排水する排水ポンプを設置してなる排水ポンプ設備において、前記排水ポンプ設備運転時に開く流入ゲートの下端を水面よりも下げた状態に維持することで流入水路への浮遊物の流入を防止する制御手段を設けたことを特徴とする排水ポンプ設備にある。
【０００９】
本願請求項４に記載の発明は、前記流入水路に流入した川の水の水位を検出する水位検出手段を設置したことを特徴とする請求項３に記載の排水ポンプ設備にある。
【発明の効果】
【００１０】
請求項１，３に記載の発明によれば、排水ポンプ設備を稼働した場合に排水ポンプ運転の障害になる浮遊物を排水ポンプ設備で処理しなくても良くなり、浮遊物の処理設備・処理費用が不要になるばかりか、掻き上げた浮遊物が乾燥するまでの異臭問題も解消する。
【００１１】
請求項２，４に記載の発明によれば、たとえ流入水路に流入した水の水位が変化しても、容易に流入ゲートの下端を水面より規定水位下がった状態に維持することができる。
【発明を実施するための最良の形態】
【００１２】
以下、本発明の実施形態を図面に基づいて詳細に説明する。
図１は本発明に係る流入ゲートの運転を行う排水ポンプ設備全体の概略平面図である。同図に示すように本川１に支川２が流入する箇所に排水門又は排水樋門３が設けられ、また支川２からは流入水路４が引き出されている。流入水路４の入口部分には流入ゲート５が設けられ、流入水路４内には２台の排水ポンプ７，７が設置され、排水ポンプ７，７の吐出した水が逆止弁８，８を通って吐出管９で合流し、吐出ゲート１０を経て本川１に排水されるように構成されている。
【００１３】
そして通常に支川２の水が自然流下で本川に流れているときは、排水門又は排水樋門３のゲートを開け、排水ポンプ設備は稼働しない。このとき流入ゲート５は閉じておくので、浮遊物が流入水路４内に浸入してくることはない。
【００１４】
一方大雨などで支川２の水位よりも本川１の水位が高くなり、排水門又は排水樋門３のゲートが閉められると、流入ゲート５を所定量開けて、排水ポンプ７，７の運転を開始し、支川２を流れてくる水を強制的に本川１側に排水する。
【００１５】
このとき流入ゲート５はその下端が水面よりも所定寸法下がった状態を維持するように、この流入ゲート５を開閉制御する制御手段（流入ゲート開閉制御手段）によって制御される。ここで図２は流入ゲート５を開いたときの流入ゲート５近傍部分の状態を示す要部概略断面図である。同図に示すように、排水ポンプ７，７の運転によって支川２内の水は流入水路４内に流入してくるが、前述のように流入ゲート５の下端は水面よりも所定寸法下がった状態に維持されているので、支川２内を流れてきた浮遊物１３は、流入ゲート５の下端によって流入水路４内に流入するのをさえぎられ、支川２内に浮遊したままとなる。なお１１は流入ゲート昇降軸である。
【００１６】
流入ゲート５によって流入水路４への流入を阻止された浮遊物１３は、支川２の下流に浮遊したまま溜まる。そして本川の水位が下がって排水門又は排水樋門３のゲートが開かれて支川２の水が本川１に自然流下するようになると、前記支川２の下流に溜まった浮遊物１３も本川１に流れ出していく。
【００１７】
ところで流入ゲート５下端の水に挿入する水深１２は、浮遊物１３が流入水路４内へもぐりこまない水深（規定水深）に維持しておく必要があるが、流入水路４の水位が変化する場合は、図１に示すように流入水路４内の所定位置に水位検出手段（水位検出器）６を設置しておくことで水位の変化を検出し、検出した水位を前記制御手段に入力し、前記水深１２が設定した深さ（規定水深）を保持するように前記制御手段によって流入ゲートを上下運転（自動運転）することもできる。
【００１８】
以上本発明の実施形態を説明したが、本発明は上記実施形態に限定されるものではなく、特許請求の範囲、及び明細書と図面に記載された技術的思想の範囲内において種々の変形が可能である。なお直接明細書及び図面に記載がない何れの形状や構造であっても、本願発明の作用・効果を奏する以上、本願発明の技術的思想の範囲内である。例えば、上記実施形態では本発明に係る排水ポンプ設備を本川に支川が流入する箇所に設置したが、必要に応じて他の各種河川や水路の必要箇所に設置しても良い。
【図面の簡単な説明】
【００１９】
【図１】排水ポンプ設備全体の概略平面図である。
【図２】流入ゲート５を開いたときの流入ゲート５近傍部分の状態を示す要部概略断面図である。
【符号の説明】
【００２０】
１  本川
２  支川
３  排水門又は排水樋門
４  流入水路
５  流入ゲート
６  水位検出手段（水位検出器）
７，７  排水ポンプ
８，８  逆止弁
９  吐出管
１０  吐出ゲート
１１  流入ゲート昇降軸
１２  流入ゲート下端の水深
１３  浮遊物
【図１】
2007100311.tif 000003
【図２】
2007100311.tif 000004